(57)【特許請求の範囲】
【請求項１】
液体を独立的に収容する第１の容器本体と第２の容器本体、及び第１の容器本体と第２の容器本体の口部に装着される吐出装置を備えた２液混合吐出容器であって、
吐出装置が、第１の容器本体に収容されている液体を吐出孔から吐出させる第１の吐出経路と第２の容器本体に収容されている液体を吐出孔から吐出させる第２の吐出経路を有し、第１の吐出経路の容器本体側の端部に、第１の容器本体用のディップチューブが取り付けられ、
第２の容器本体の内部にディップチューブが取り付けられている２液混合吐出容器。
【請求項２】
第１の容器本体と第２の容器本体が、互いに嵌合する凹凸面を有する請求項１記載の２液混合吐出容器。
【請求項３】
第１の吐出経路が連通する第１の吐出孔と第２の吐出経路が連通する第２の吐出孔が別々に設けられている請求項１又は２記載の２液混合吐出容器。
【請求項４】
第１の吐出孔から吐出された液体と、第２の吐出孔から吐出された液体とが、吐出と同時に混合するように双方の吐出孔からの吐出範囲が重なり合う請求項３記載の２液混合吐出容器。
【請求項５】
吐出装置が、トリガー式吐出装置である請求項１〜４のいずれかに記載の２液混合吐出容器。
【発明の詳細な説明】
【技術分野】
【０００１】
本発明は、２種の液体を別々に収納し、同時に吐出する２液混合吐出容器に関する。
【背景技術】
【０００２】
液体の吐出装置は、衣料用仕上げ剤、住宅用液体洗剤等などの容器として広く使用されており、住宅用液体洗剤には、過酸化水素を含む第１液とアルカリ性の第２液の２種の液体を使用するなど、使用時に２液を混合して効果的に洗浄を行うものがある。
【０００３】
このために使用する２液混合吐出容器としては、２種の液体を別々の容器に収納して同時に吐出させるトリガー式噴出容器であって、トリガーの牽曳による一つのピストンの往復で、シリンダー内に区切られた２室に２種の液体をそれぞれ吸引し、加圧して混合経路に吐出させ、噴出ノズルから２液の混合液体を噴出させるものがある（特許文献１）。しかしながら、この２液混合吐出容器では、トリガー式噴出装置内の混合経路で、液体の性質によっては、２液の混合時にガスが発生し、ガス抜きをする必要が生じる。
【０００４】
これに対し、２種の液体を２つの噴出孔から別々に噴出させて噴出後に混合する２液混合吐出容器がある（特許文献２）。この２液混合吐出容器では、噴出孔からの液体の噴出範囲を調整することで、２液が噴出孔から別々に噴出されるのとほぼ同時に２液が混合される。このため、この２液混合吐出容器によれば、容器内のガス抜きを不要にすることができる。
【先行技術文献】
【特許文献】
【０００５】
【特許文献１】特許４０９４４４０号
【特許文献２】特開平８−８４９４６号公報
【発明の概要】
【発明が解決しようとする課題】
【０００６】
一方、近年、環境負荷を抑えると共に、製品価格を下げるために、リフィル容器が普及している。２種混合吐出容器においてリフィル容器を使用する態様としては、本来の２種混合吐出容器の容器本体に、リフィル容器から内容液を詰め替える方法もあるが、詰め替え時に液体が溢れるおそれをなくす点から、２液混合吐出容器の吐出装置をリフィル容器に付け替えることが望ましい。
【０００７】
しかしながら、２液混合吐出容器のリフィル容器に吐出装置を付け替える場合、２種の液体のリフィル容器と吐出装置の連結を付け間違えると２液が不用意に混合してしまう。また、吐出装置からの液だれがリフィル容器内に混入することによっても２液の不用意な混合が生じる。
【０００８】
このような問題に対し、本発明は、２液混合吐出容器においてリフィル容器を使用する場合に生じ得る２液の不用意な混合を極力なくすことを目的とする。
【課題を解決するための手段】
【０００９】
本発明者は、２つの吐出孔と吐出経路を備えた２液吐混合出容器に、２種の液体をそれぞれディップチューブを用いて容器本体から供給するにあたり、ディップチューブの一方を容器本体に取り付けておき、他方を吐出装置に取り付けておくと、容器本体と吐出装置との連結の付け間違えの虞を完全に解消できることを見出した。
【００１０】
即ち、本発明は、液体を独立的に収容する第１の容器本体と第２の容器本体、及び第１の容器本体と第２の容器本体の口部に装着される吐出装置を備えた２液混合吐出容器であって、
吐出装置が、第１の容器本体に収容されている液体を吐出孔から吐出させる第１の吐出経路と第２の容器本体に収容されている液体を吐出孔から吐出させる第２の吐出経路を有し、第１の吐出経路の容器本体側の端部に、第１の容器本体用のディップチューブが取り付けられ、
第２の容器本体の内部にディップチューブが取り付けられている２液混合吐出容器を提供する。
【発明の効果】
【００１１】
本発明の２液混合吐出容器によれば、第１の容器本体と第２の容器本体の口部に装着される吐出装置が、該吐出装置内に第１の容器本体に収容されている液体を吐出孔から吐出させる第１の吐出経路と第２の容器本体に収容されている液体を吐出孔から吐出させる第２の吐出経路を有し、第１の吐出経路の容器本体側の端部に、第１の容器本体に挿入されるディップチューブが取り付けられており、第２の容器本体の内部にディップチューブが取り付けられているので、容器本体の口部に吐出装置を装着する場合に、吐出装置に取り付けられている第１の容器本体用のディップチューブが、既にディップチューブが取り付けられている第２の容器本体に挿入されることはなく、必ず、第１の容器本体に挿入される。よって、第１、第２の容器本体としてリフィル容器を使用し、リフィル容器である第１、第２の容器本体に吐出装置を装着する場合であっても、吐出装置内の第１、第２の吐出経路と、第１、第２の容器本体との連結を付け間違えることはなく、２液の不用意な混合を完全に防止することができる。
【図面の簡単な説明】
【００１２】
【図１】図１は、実施例の２液混合吐出容器１Ａの（ａ）正面図、及び（ｂ）側面図である。
【図２】図２は、実施例の２液混合吐出容器１Ａの（ａ）吐出装置の正面図及び（ｂ）連結袴を外した状態の容器本体の正面図である。
【図３】図３は、容器本体の（ａ）上面図、（ｂ）正面図、（ｃ）側面図である。
【図４】図４は、容器本体を第１の容器本体と第２の容器本体に外した状態の（ａ）上面図及び（ｂ）正面図である。
【図５】図５は、容器本体がリフィル容器として提供される形態の（ａ）正面図、及び（ｂ）側面図である。
【図６】図６は、吐出装置の変形態様の正面図である。
【図７】図７は、２液混合吐出容器１Ｃの（ａ）正面図及び（ｂ）側面図である。
【発明を実施するための形態】
【００１３】
以下、図を参照しつつ本発明を具体的に説明する。なお、各図中、同一符号は同一又は同等の構成要素を表している。
図１は、本発明の一実施例の２液混合吐出容器１Ａの（ａ）正面図、及び（ｂ）側面図である。この２液混合吐出容器１Ａは容器本体２と吐出装置３Ａを備え、吐出装置３Ａは、容器本体２の口部21に着脱自在に螺合し、容器本体２の底部には、該底部外表面を被う袴部材４が着脱自在に嵌められており、図２に示すように、容器本体２と吐出装置３Ａと袴部材４を取り外すことができる。
【００１４】
容器本体２は、図３に示すように、第１の容器本体２Ａと第２の容器本体２Ｂを組み合わせたものからなり、第１の容器本体２Ａと第２の容器本体２Ｂは、それぞれ独立的に収容部を有する扁平な有底筒状形状をなしており、図４に示すように、２つのパーツに離すことができる。第１の容器本体２Ａと第２の容器本体２Ｂの口部壁には、互いに嵌合する凹部22と凸部23が設けられており、第１の容器本体２Ａと第２の容器本体２Ｂの組み合わせ形態を安定化させている。
【００１５】
吐出装置３Ａは、図１（ｂ）に矢印で示したトリガー31の引き寄せと解除によりシリンダー内のピストンを往復させ、それによりディップチューブ32Ａ、32Ｂを通して第１、第２の容器本体２Ａ、２Ｂからシリンダー34内へ液体を吸い上げることと、シリンダー34に吸い上げた液体をピストン35で加圧することにより液体を第１、第２の吐出孔33Ａ、33Ｂから吐出させることを交互に繰り返すトリガー式吐出装置である。吐出装置３Ａにおいて、第１、第２の容器本体２Ａ、２Ｂからシリンダー34への液体の吸い上げや、シリンダー34に吸い上げた液体の第１、第２の吐出孔33Ａ、33Ｂからの吐出自体は、公知のトリガー式吐出装置と同様の機構とすることができるが、この吐出装置３Ａでは、２つの容器本体２Ａ、２Ｂからそれぞれ液体を吸い上げ、各液体を２つの吐出孔33Ａ、33Ｂから別々に吐出させられるように、２つの吐出経路36Ａ、36Ｂが並列的に吐出装置３Ａ内に形成されている。なお、このように２つの吐出経路36Ａ、36Ｂを有する吐出装置自体の構成は、例えば、特開平８−８４９４６号公報の図１のスプレー容器と同様にすることができる。
【００１６】
第１、第２の吐出経路36Ａ、36Ｂがそれぞれ連通する第１、第２の吐出孔33Ａ、33Ｂの構成に関しては、そこから吐出される液体の吐出範囲が重なり合い、それらが、２つの吐出孔33Ａ、33Ｂから吐出されるのと同時に混合しあうように、特開平８−８４９４６号公報のスプレー容器と同様に、２つの吐出孔33Ａ、33Ｂは適宜その開口径が定められる。２つの吐出孔33Ａ、33Ｂの間には突出片を起立させてもよい。
【００１７】
また、容器本体２に対して、第１、第２の吐出孔33Ａ、33Ｂを所定の向きにしたところで、吐出装置３Ａを容器本体２に固定できるように、図２に示すように、螺合により吐出装置３Ａ内の中栓を容器本体２の口部21に押さえ付け、吐出装置３Ａを容器本体２に固定するキャップ５が設けられている。
【００１８】
本実施例では、吐出装置３Ａ内の２つの吐出経路36Ａ、36Ｂのうち、図２に示すように、第１の容器本体２Ａの液体を吐出させる第１の吐出経路36Ａの容器本体２Ａ側の端部には、第１の容器本体２Ａ用のディップチューブ32Ａが固定的に取り付けられているが、第２の容器本体２Ｂの液体を吐出させる第２の吐出経路36Ｂの容器本体２Ｂ側の端部にはディップチューブ32Ｂが取り付けられておらず、また、第１の容器本体２Ａの内部にはディップチューブ32Ａが取り付けられていないが、第２の容器本体２Ｂの内部にはディップチューブ32Ｂが固定的に取り付けられている。また、第２の容器本体２Ｂの内部に取り付けられたディップチューブ32Ｂの上端部には、容器本体２Ｂ内の液体の吐出を可能とする逆止弁37が設けられており、同様の逆止弁が、第１の容器本体２Ａ用のディップチューブ32Ａの下流にも設けられている（図示せず）。
【００１９】
これにより、第１、第２の容器本体２Ａ、２Ｂを組み合わせた容器本体２の口部21に吐出装置３Ａを装着するときに、第１の容器本体２Ａ用のディップチューブ32Ａは、既にディップチューブ32Ｂが取り付けられている第２の容器本体２Ｂには挿入される余地が無いため、必ず、第１の容器本体２Ａに挿入される。したがって、第１の容器本体２Ａ用のディップチューブ32Ａが、誤って第２の容器本体２Ｂに挿入されることによる２液の不用意な混合を完全になくすことができる。よって、例えば、図５に示すようにリフィル容器として提供される容器本体２Ａ’、２Ｂ’に吐出装置３Ａを装着するときにも、２液の不用意な混合を完全になくすことができる。
【００２０】
この実施例の２液吐出混合容器１Ａは、次のように使用される。まず、図１（ｂ）の矢印方向へのトリガー31の引き寄せと、その解除を繰り返すことにより、第１、第２の容器本体２Ａ、２Ｂにそれぞれ収容されている液体を、吐出装置３Ａ内のシリンダー34へ吸い上げ、そうして吸い上げた液体をそれぞれの吐出経路36Ａ、36Ｂを通して別々の吐出孔33Ａ、33Ｂから同時に吐出させる。このとき、２つの吐出孔33Ａ、33Ｂの吐出範囲が重なっていることにより、吐出孔33Ａ、33Ｂから吐出した液体は、吐出とほぼ同時に混合する。
【００２１】
容器本体２Ａ、２Ｂ内の液体が消費された場合には、キャップ５を回して緩め、図２に示すように容器本体２Ａ、２Ｂから吐出装置３Ａを外す。そして、図５に示すようにリフィル容器として提供される第１、第２の容器本体２Ａ’、２Ｂ’からそれらの蓋６を取り外し、容器本体２Ａ’、２Ｂ’の口部に吐出装置３Ａを装着し、キャップ５を締めて吐出装置３Ａと容器本体２Ａ’、２Ｂ’の連結を固定する。このとき、吐出装置３Ａに取り付けられていた第１の容器本体用のディップチューブ32Ａは、第１の容器本体２Ａ’に挿入され、吐出装置３Ａ内の第２の容器本体用の吐出経路36Ｂの容器本体側の端部が、第２の容器本体２Ｂ’内のディップチューブ32Ｂ上に押し付けられる。こうして２液が不用意に混合することなく、再度、容器本体２Ａ’、２Ｂ’から液体を混合吐出させることが可能となる。
【００２２】
本発明は、種々の態様をとることができる。
例えば、吐出装置の構成としては、図６に示す吐出装置３Ｂのように、吐出孔33Ａ、33Ｂの前方に、吐出孔33Ａ，33Ｂからそれぞれ吐出した液体を衝突させる先端部壁38を設け、その先端部壁38に混合液吐出ノズル39を形成し、先端部壁38に衝突して混合した２つの液体を混合液吐出ノズル39から吐出させるようにしてもよい。これにより、混合液吐出ノズル39から完全に混合された液体を噴出させることができる。
【００２３】
さらに、吐出装置はトリガー式に限られず、ポンプ式吐出装置を使用してもよい。図７は、ポンプ式吐出装置３Ｃを備えた２液混合吐出容器１Ｃの（ａ）正面図及び（ｂ）側面図である。このポンプ式吐出装置３Ｃ内には、シリンダーとピストンからなるポンプ装置が２個組み込まれ、それらのピストンが共通の押圧部40で押し込めるように構成されている。
【００２４】
一方、容器本体に関し、第１，第２の容器本体２Ａ、２Ｂのそれぞれ内部の液体の残量がわかるように、第１，第２の容器本体２Ａ、２Ｂを透明材料で形成してもよく、２液の区別を付けやすいように色分けしてもよい。
【００２５】
また、第１、第２の容器本体２Ａ、２Ｂ中の一方だけが先に消費された場合に、消費された一方の容器本体だけを付け替えられるように、第１，第２の容器本体２Ａ、２Ｂ用のリフィル容器を別々に提供しても良い。反対に、第１、第２の容器本体２Ａ、２Ｂに収容されている液体を、同量ずつ吐出させる場合には、第１、第２の容器本体２Ａ、２Ｂは、必ずしも別パーツに構成する必要はなく、外形的には一体に構成してもよい。したがって、上述の２液混合容器１Ａにおいて、第１，第２の容器本体２Ａ、２Ｂと袴部材４とを固着させてもよい。なお、廃棄時の容器内洗浄を容易にする点からは、第１，第２の容器本体２Ａ、２Ｂは、着脱自在とすることが好ましい。
【００２６】
また、第１，第２のディップチューブ32Ａ、32Ｂとしては、可撓性のものも硬質のものも使用することができるが、容器本体２Ａ、２Ｂの付け替え時に、容器本体２Ａへの挿入が必要とされるディップチューブ32Ａについては、挿入しやすく、チューブ内に残存している液体のはねの問題を回避できる点から、略直線状で硬質のものを使用することが好ましい。
【産業上の利用可能性】
【００２７】
本発明の２液混合吐出容器は、２種の液体を混合して使用する２液式の住宅用洗剤、漂白剤、衣料用仕上げ剤等の容器として有用である。
【符号の説明】
【００２８】
１Ａ、１Ｃ    ２液混合吐出容器
２    容器本体
２Ａ  第１の容器本体
２Ａ’  リフィル容器の第１の容器本体
２Ｂ  第２の容器本体
２Ｂ’  リフィル容器の第２の容器本体
21    口部
22    凹部
23    凸部
３Ａ、３Ｂ、３Ｃ    吐出装置
31    トリガー
32Ａ  第１のディップチューブ
32Ｂ  第２のディップチューブ
33Ａ  第１の吐出孔
33Ｂ  第２の吐出孔
34    シリンダー
35    ピストン
36Ａ  第１の吐出経路
36Ｂ  第２の吐出経路
37    逆止弁
38    先端部壁
39    混合液吐出ノズル
４    袴部材
５    キャップ
６    リフィル容器の蓋
【図１】
0005686023.tif 000002
【図２】
0005686023.tif 000003
【図３】
0005686023.tif 000004
【図４】
0005686023.tif 000005
【図５】
0005686023.tif 000006
【図６】
0005686023.tif 000007
【図７】
0005686023.tif 000008